(57)【特許請求の範囲】
【請求項１】
左右に並ぶ各相の端子台間に階段状の段差を付した上で、その相間および左右両側を隔壁で隔離した回路しゃ断器の端子部に被着する端子カバーであって、該端子カバーが上面に各相の端子に対応する点検穴を開口した箱形構造になり、前記相間隔壁の上縁を跨いで端子カバーの左右側壁を端子部側の左右隔壁の内壁面に沿いその内側に嵌挿して被着させるようにしたことを特徴とする回路しゃ断器の端子カバー。
【請求項２】
請求項１記載の端子カバーにおいて、端子カバーの側壁にスナップ式の係合爪を形成し、端子カバーを回路しゃ断器の端子部に被着した状態で前記係合爪を端子部側の隔壁に形成した係合穴に掛け止めしたことを特徴とする回路しゃ断器の端子カバー。
【請求項３】
請求項１記載の端子カバーにおいて、端子カバーに端子部側の相間隔壁の上縁を跨ぐ形の溝部を形成するとともに、該溝部の内側には前記相間隔壁の上縁に形成した凹部に嵌入して係合し合う係合突起を設けたことを特徴とする回路しゃ断器の端子カバー。
【請求項４】
請求項１記載の端子カバーにおいて、端子カバーの上部後縁に舌片状に張り出したねじ座を設け、端子カバーを回路しゃ断器の端子部に被着した状態で前記ねじ座をしゃ断器ケースの上面に形成した凹状座面に重ねてねじ締結したことを特徴とする回路しゃ断器の端子カバー。
【発明の詳細な説明】
【０００１】
【発明の属する技術分野】
本発明は、主として分電盤，制御盤などに設置して使用する端末負荷保護用の小形回路しゃ断器（オートブレーカ）およびその付属装置を対象に、その端子部に被着して充電部を覆う端子カバーに関する。
【０００２】
【従来の技術】
まず、本発明の実施対象となる２極回路しゃ断器（オートブレーカ）の外観図を図４に示す。図において、１は回路しゃ断器、２は樹脂成形品としてなるしゃ断器ケース、３は開閉操作用のトグルハンドル、４はしゃ断器ケース２の前後両端部に構成した電源側および負荷側の端子部４である。
【０００３】
ここで、前記の端子部４には、後記のように回路しゃ断器１を分電盤に組み込んで配線する場合の作業性および安全性を考慮して、左右に並ぶ各相の端子台５ａ，５ｂが階段状に段差ｈを付して段違いに形成されており、この端子台５ａ，５ｂにはしゃ断器本体から引き出した各相の端子板９，および端子ねじ１０が配置されている。さらに、各相の端子台５ａ，５ｂの間を隔離するように、端子部４には端子台から上方に延在する相間隔壁６、および左右両側の隔壁７，８が一体成形されている。
【０００４】
次に、前記した回路しゃ断器１の多数台を組み込んで単相三線式に配線した分電盤を図５に示す。図示のように分電盤１１の盤内には、例えば左右２列に分けて各列ごとに複数台の回路しゃ断器１が殆ど隙間なく密着して並ぶように盤内の支持レールに配列支持されており、主幹用の回路しゃ断器１２から引出して盤内に敷設した主回路接続導体（ブスバー）１３に各基の回路しゃ断器１が分岐接続導体を介して並列に接続されている。なお、１１ａは分電盤１１の扉、１１ａ-1は扉１１ａを閉じた状態で回路しゃ断器１のハンドルが盤外に突き出るように開口した窓穴である。
【０００５】
【発明が解決しようとする課題】
前記のように分電盤１１などに組み込んで使用する小形の回路しゃ断器（オートブレーカ）１は、その端子部４における各相端子が隔壁６，７，８により隔離されており、また回路しゃ断器を装備した分電盤１１は扉１１ａ付きであることもあって、従来の回路しゃ断器１では特に端子部４に充電部保護用の端子カバーを備えてないが、ユーザーによっては分電盤の点検時おける作業の安全性を高めるために、回路しゃ断器に端子カバーを取付けるようにした要求がある。
【０００６】
一方、前記のオートブレーカよりも大容量の３相用配線用回路しゃ断器，漏電しゃ断器などでは、従来より端子カバーがオプション品として用意されており、その端子カバーの構造は、しゃ断器本体の端子部を外側から覆ってケース上面にねじ止め固定するような構成である。
ところで、図４の回路しゃ断器１に対して、前記の配線用回路しゃ断器に用いる端子カバーと同様な形状の端子カバーを用意して端子部４に被着したとすると、端子カバーとしての機能は十分に果たすものの、しゃ断器ケース２の左右側面に端子カバーの厚み分がはみ出して回路しゃ断器の外形寸法が一回り大きくなる。このために、図５のように多数台の回路しゃ断器１が殆ど密着し合うように並べて盤内に配列した場合には、各台の回路しゃ断器ごとに生じる端子カバーの取付け寸法のロス分が積算され、結果として盤内に配列する回路しゃ断器のトータル的な占有スペースが増大することになる。
【０００７】
また、盤内に設置した既設の回路しゃ断器１に対しては隣接するしゃ断器との間に殆ど隙間がないので、しゃ断器を配列し直さない限りは端子カバーを後から追加して被着させることができない。
本発明は上記の点に鑑みなされたものであり、その目的は、主として分電盤，制御盤などに組み込んで使用する段違い構造の端子部を備えた回路しゃ断器を対象に、そのしゃ断器ケースの幅寸法内に収めて端子部に被着できるよう改良した回路しゃ断器の端子カバーを提供することを目的とする。
【０００８】
【課題を解決するための手段】
上記目的を達成するために、本発明によれば、端子カバーがその上面に各相の端子に対応する点検穴を開口した箱形構造になり、回路しゃ断器の端子部に対し、その相間隔壁の上縁を跨いで端子カバーの左右側壁を端子部側の左右隔壁の内壁面に沿いその内側に嵌挿して被着させようにし（請求項１）、具体的には次記のような態様で構成するものとする。
【０００９】
（１）端子カバーの側壁にスナップ式の係合爪を形成し、端子カバーを回路しゃ断器の端子部に被着した状態で前記係合爪を端子部側の隔壁に形成した係合穴に掛け止めする（請求項２）。
（２） 端子カバーに端子部側の相間隔壁の上縁を跨ぐ形の溝部を形成するとともに、該溝部の内側には前記相間隔壁の上縁に形成した凹部と係合し合う係合突起を設け、端子カバーを回路しゃ断器の端子部に被着した状態で、前記係合突起を相間隔壁の凹部に嵌め合わせて定位置に位置決め保持させるようにする（請求項３）。
【００１０】
(3) 端子カバーの上部後縁に舌片状に張り出したねじ座を設け、端子カバーを回路しゃ断器の端子部に被着した状態で前記ねじ座をしゃ断器ケースの上面に形成した凹状座面に重ねてねじ締結する（請求項４）。
上記構造の端子カバーによれば、回路しゃ断器の端子部に被着した状態でしゃ断器ケースの幅寸法内に納まり、しゃ断器ケースの左右側面，上面からはみ出すことがない。したがって、図５のように分電盤などの盤内に多数台の回路しゃ断器を配列して組付ける場合でも、取付け寸法のロスが発生することなしにスペース効率よく装着できる。
【００１１】
また、盤内に組み込んだ既設の回路しゃ断器に対しても、必要に応じて端子カバーを後から被着させることができる。
【００１２】
【発明の実施の形態】
以下、本発明の実施の形態を図１〜図３に示す実施例に基づいて説明する。なお、実施例の図中で図４に対応する部分には同じ符号を付してその詳細な説明は省略する。
図１（ａ）は図４に示した段違い構造の端子部を備えた回路しゃ断器１の端子部４に本発明の端子カバー１４を被着した組立状態を表しており、端子カバー１４は図示のように箱型構造になり、端子部４における相間隔壁６の上縁を跨いで端子カバー１４の左右側壁を端子部側の左右隔壁７，８の内壁面に沿いその内側に嵌挿するように被着して端子部４を上方から覆い、この位置でしゃ断器ケース２の上面ににねじ１５を介してねじ止めされている。
【００１３】
次に、端子カバー１４の詳細構造，およびこの端子カバー１４に対応した端子部４のカバー取付構造を図１（ｂ）および図２，図３で説明する。すなわち、箱形構造になる端子カバー１４は、その左右方向の横幅ｄが端子部４の左側壁７と右側壁８の間の間隔Ｄに合わせてあり、上面には端子部４の各相端子に対応する点検穴１４ａ（端子ねじ１０を操作するドライバ，検電棒を挿入する）が開口している。また、端子カバー１４の左側側壁には、外側に向けて突き出すスナップ式の係合爪１４ｂが側壁に左右のスリットを入れて形成したばね性アーム１４ｂ-１の先端に形成されており、この係合爪１４ａに位置を合わせて端子部４の左側隔壁７には角形の係合穴７ａが開口している。さらに、端子カバー１４の左右中間部には、端子部４の相間隔壁６の上縁を跨ぐよう切欠した形の溝部１４ｃが形成されており、この溝部１４ｃの内側には図２で示すように下向きに突き出した角形の係合突起１４ｃ-1を形成するとともに、この係合突起１４ｃ-1に対応して相間隔壁６の上縁には凹部６ａが形成されている。さらに加えて、端子カバー１４の上部後縁には背後に向けＬ字形に突き出した舌片状のねじ座１４ｄが一体成形されており、このねじ座１４ｄに位置を合わせてしゃ断器ケース２の上面には凹状に窪んだ座面２ａおよびねじ穴２ａ-１が形成されている。
【００１４】
上記の構成で回路しゃ断器１の端子部４に端子カバー１４を被着するには、図１（ｂ）で示すように端子カバー１４を上方から端子部４の左右側壁７，８の間に嵌入して押し込む。これにより、端子カバー１４の溝部１４ｃが端子部４の相間隔壁６の上縁に重なり合って係合突起１４ｃ-１と凹部６ａが嵌合するとともに、左側の側壁に形成した係合爪１４ｂが隔壁７に開口した係合穴７ａに入り込んでスナップ式に係止される。また、この被着位置では、端子カバー上部から背後に突き出したねじ座１４ｄがしゃ断器ケース２の上面に形成した凹状の座面２ａに納まって重なり合う。そして、ねじ座１４ｄと座面２ａとの間を締結ねじ（平頭ねじ）１５でねじ止めすることにより、端子カバー１４が被着位置に強固に固定される。
【００１５】
しかも、端子カバー１４を回路しゃ断器１の端子部４に被着した状態では、図１(a) から判るように締結ねじ１５を含めて端子カバー１４がしゃ断器ケース２の左右側面，および上面からはみ出すことがない。したがって、図５のように多数台の回路しゃ断器１を配列して分電盤１１に組み込む場合でも、取付寸法のロスの発生なしに回路しゃ断器をスペース効率よく組付けることができる。また、扉１１ａを閉じた際に扉面が端子カバー１４のねじ座金１４ｄ，締結ねじ１５に当たることもなく、さらに端子カバー１４をねじ１４で締結しておくことにより、工具なしには端子カバー１４を外せないので高い保安性を確保できる。
【００１６】
【発明の効果】
以上述べたように、本発明によれば、回路しゃ断器の各相の端子が隔壁で隔離されている段違い構造の端子部に被着する端子カバーを、その端子カバー上面に各相の端子に対応する点検穴を開口した箱形構造とし、前記相間隔壁の上縁を跨いで端子カバーの左右側壁を端子部側の左右隔壁の内壁面に沿いその内側に嵌挿して被着させるように構成したことにより、回路しゃ断器の端子部に被着した状態でしゃ断器ケースの幅寸法内に納まり、しゃ断器ケースの左右側面，上面からはみ出すことがない。
【００１７】
したがって、分電盤，制御盤などの盤内に多数台の回路しゃ断器を配列して組付ける場合でも、取付け寸法のロスが発生することなしにスペース効率よく装着できるし、また盤内に組み込んだ既設の回路しゃ断器に対しても、必要に応じて端子カバーを後から被着できるなど、実用的価値の高い端子カバーを提供することができる。
【図面の簡単な説明】
【図１】本発明の実施例の構成図であり、(a) は回路しゃ断器に端子カバーを被着した組立状態の外観斜視図、(b) は端子カバーの詳細構造，および回路しゃ断器への被着手順を表した分解斜視図
【図２】図１(b) における端子カバーの一部切欠斜視図
【図３】図１(a) における端子カバーの一部切欠斜視図
【図４】本発明の実施対象となる段違い端子構造の回路しゃ断器の外観斜視図
【図５】図４の回路しゃ断器の多数台を装備した分電盤の扉開放状態を表す正面図
【符号の説明】
１    回路しゃ断器
２    しゃ断器ケース
２ａ  凹状座面
４    端子部
５ａ，５ｂ  端子台
６    相間隔壁
７，８  左右の隔壁
７ａ  係合穴
１１    分電盤
１４    端子カバー
１４ａ  点検穴
１４ｂ  係合爪
１４ｃ  溝部
１４ｄ  ねじ座
１５    締結ねじ
ｈ    段差
ｄ    端子カバーの横幅
Ｄ    端子部の左右側壁間の間隔
【図１】
0004407078.tif 000002
【図２】
0004407078.tif 000003
【図３】
0004407078.tif 000004
【図４】
0004407078.tif 000005
【図５】
0004407078.tif 000006